(57)【特許請求の範囲】
【請求項１】
円盤状の筐体の中央の窪んだ部分に押しボタンが設けられて成る無線押しボタン式子機に装着されて上記押しボタンの操作を介助する押しボタン用アタッチメントであって、
土台部と、下方が開放された操作部とを備え、
上記土台部は、
上記無線押しボタン式子機の筐体の少なくとも外周面の一部を覆い、上記筐体を支持する第１の支持部と、
上記操作部の少なくとも一部を覆い、上記操作部を支持する第２の支持部と、
複数の係止孔とを備え、
上記操作部は、
上記第１の支持部に支持される上記無線押しボタン式子機の上記押しボタンに対向する位置の内面に設けられ、上記第２の支持部により支持された上記操作部が下方に押下された状態である場合に上記押しボタンを押圧する突起部と、
上記第２の支持部に上記操作部が支持された場合に上記複数の係止孔と対向する位置に、上記操作部の底面側下端より下側に突出するように設けられ、上記第２の支持部に上記操作部が支持された状態で上記係止孔に挿通する複数の突出部とを備え、
上記複数の突出部は、上記突出部が上記係止孔から外れることを防止するツメ部を備え、
上記ツメ部は、上記突出部の先端から根元方向に離れた位置で、上記操作部の底面側下端より上側に設けられており、上記ツメ部と上記操作部の底面側下端との距離が、上記押しボタンの操作可能なストローク量と略同じである
ことを特徴とする押しボタン用アタッチメント。
【請求項２】
上記第２の支持部は円形状の側壁を有し、当該側壁の円周上に上記複数の係止孔を備え、
上記複数の係止孔は、上記側壁の円周上の互いに対向する位置に備えられていることを特徴とする請求項１に記載の押しボタン用アタッチメント。
【発明の詳細な説明】
【技術分野】
【０００１】
本発明は、ナースコールシステムに使用される押しボタン式子機用のアタッチメントに関するものである。
【背景技術】
【０００２】
従来、病院や介護施設などでは、ナースコールシステムが用いられている。ナースコールシステムは、ナースコール子機とナースコール親機とを備えて構成され、患者や被介護者（以下、単に患者という）がナースコール子機の呼出ボタンを押下して呼び出しを行うと、呼び出しが行われたことがナースコール親機にて報知されるようになっている。
【０００３】
ところで、ナースコール子機には様々なタイプのものがある。その１つに、図６（ａ）に示すような握り押しボタン式子機１００がある。握り押しボタン式子機１００は、手のひらに納まる胴部１０１と、この胴部１０１の端部に設けられた押しボタン１０２とを有している。したがって、握り押しボタン式子機１００を片手で操作する場合、押しボタン１０２は、親指で操作される。
【０００４】
また、図６（ｂ）に示すような円盤状の無線押しボタン式子機２００も存在する。この無線押しボタン式子機２００は、円盤状の筐体２０１の上面側の中央部に設けられた押しボタン２０２を有している。この無線押しボタン式子機２００を操作する場合、４本指で筐体２０１を支えながら親指で押しボタン２０２が操作される。あるいは、筐体２０１をベッド等に置いた状態で、何れかの指で押しボタン２０２が操作される。
【０００５】
なお、握り押しボタン式子機１００を握ったり、親指で押しボタン１０２を押したりすることができない患者のために、手のひらや手の甲などで押下することにより握り押しボタン式子機１００を操作可能にするアタッチメントが提案されている（例えば、特許文献１参照）。握り押しボタン式子機１００にこのアタッチメントが装着されていれば、患者は、アタッチメントの操作部を手のひらや拳で叩いたり押したりすることで、握り押しボタン式子機１００を手のひらで握って押しボタン１０２を親指で押すのと同じように操作することが可能となる。
【先行技術文献】
【特許文献】
【０００６】
【特許文献１】特開２００８−１１９２００号公報
【発明の概要】
【発明が解決しようとする課題】
【０００７】
しかしながら、上記特許文献１に記載のアタッチメントは、無線押しボタン式子機２００には装着することができない。無線押しボタン式子機２００では、患者の意図しない何気ない誤操作を防止するために、円盤状の筐体２０１の上面側の中央における周囲よりも窪んだ部分に押しボタン２０２が設けられているため、これを手のひらや手の甲などで押下することができない。そのため、指を自由に動かすことができない患者は、押しボタン２０２を押下することができないという問題があった。
【０００８】
本発明は、このような問題を解決するために成されたものであり、指を自由に動かすことができない患者であっても、無線押しボタン式子機の押しボタンを手のひらや手の甲などで押下することができるようにすることを目的とする。
【課題を解決するための手段】
【０００９】
上記した課題を解決するために、本発明では、土台部と操作部とによりアタッチメントを構成する。土台部は、無線押しボタン式子機を支持する第１の支持部と、操作部を支持する第２の支持部とを備え、第２の支持部に複数の係止孔を設ける。一方の操作部は、第１の支持部に支持される無線押しボタン式子機の押しボタンに対向する位置の内面に設けられた突起部と、複数の係止孔と対向する位置に設けられて係止孔に挿通する複数の突出部とを備え、当該複数の突出部に、突出部が係止孔から外れることを防止するツメ部を設けている。ツメ部は、突出部の先端から根元方向に離れた位置で、操作部の底面側下端より上側に設けられており、ツメ部と操作部の底面側下端との距離を、押しボタンの操作可能なストローク量と略同じとしている。
【発明の効果】
【００１０】
上記のように構成した本発明によれば、操作部に力を加えて押下すると、押下された操作部の内面に設けられている突起部によって、無線押しボタン式子機の窪んだ部分に設けられている押しボタンが押下されることとなる。ここで、本発明では、土台部の係止孔に操作部の突出部が挿通するようになされ、その突出部にツメ部が設けられているので、突出部が係止孔から外れることをツメ部によって防止しつつも、押しボタンを押下するためのストロークを挿通の可動範囲によって得ることができる。これにより、患者は、操作部を手のひらや手の甲など押下するだけで、無線押しボタン式子機の押しボタンを指で押すのと同じように操作することができる。
【図面の簡単な説明】
【００１１】
【図１】本実施形態による押しボタン用アタッチメントの構成例を示す斜視図である。
【図２】本実施形態による押しボタン用アタッチメントの構成例を示す上面図である。
【図３】本実施形態による操作部の構成例を示す図である。
【図４】本実施形態の押しボタン用アタッチメントを無線押しボタン式子機に装着した状態を示す断面図である。
【図５】本実施形態による押しボタン用アタッチメントの他の構成例を示す図である。
【図６】従来の押しボタン式子機の構成例を示す図である。
【発明を実施するための形態】
【００１２】
以下、本発明の一実施形態を図面に基づいて説明する。図１および図２は、本実施形態による押しボタン用アタッチメント１０の構成例を示す図であり、図１は上面側方側から見た斜視図、図２は上面図を示している。ここで、図１（ａ）は土台部１１に操作部１２を装着した状態を示し、図１（ｂ）は装着していない状態をしている。また、図３は、本実施形態による操作部１２の構成例を示す図であり、（ａ）は底面図、（ｂ）は後述する被支持部２０を側面から見た状態を示している。図４は、本実施形態の押しボタン用アタッチメント１０を図６（ｂ）に示す無線押しボタン式子機２００に装着した状態を示すＡ−Ａ断面図である。なお、図４は断面の概略を示し、図示を一部省略してある。
【００１３】
本実施形態の押しボタン用アタッチメント１０は、円盤状の筐体２０１の中央の窪んだ部分に押しボタン２０２が設けられて成る無線押しボタン式子機２００に装着されて、当該押しボタン２０２の操作を介助するものである。
【００１４】
図１および図２に示すように、本実施形態の押しボタン用アタッチメント１０は、土台部１１と操作部１２とを備えて構成されている。土台部１１は、第１の支持部１３および第２の支持部１４を備えている。第１の支持部１３は、無線押しボタン式子機２００の筐体２０１の少なくとも外周面の一部を覆い、当該筐体２０１を支持する。
【００１５】
具体的には、第１の支持部１３は、無線押しボタン式子機２００の筐体２０１の側面の一部を支持する複数のリブを底面から立設した構成となっている。図１の例では、無線押しボタン式子機２００の円盤形状の直径よりやや大きい直径の円周上に並ぶように、２個の円弧状のリブが互いに対向する位置に設けられている。なお、ここに示したリブの数は一例であり、これに限定されるものではない。リブを３個以上としてもよいし、１個のリブを円周上に繋げてリング形状とするようにしてもよい。第１の支持部１３の高さは、無線押しボタン式子機２００の高さよりも低く設定されている。
【００１６】
第２の支持部１４は、操作部１２の内面（裏面）側に立設された略リング状の被支持部２０（図３参照）の周面を覆い、操作部１２を支持する。具体的には、第２の支持部１４は、第１の支持部１３に収容される無線押しボタン式子機２００の円（第１の支持部１３が円弧を成す円）と同心円で、かつ、被支持部２０の直径よりやや大きい直径を有する円形状の側壁により構成されている。当該側壁の円周上には、複数の係止孔１５が設けられている。本実施形態では、円周上の互いに対向する位置に２組、合計４個の係止孔１５が備えられている。
【００１７】
第２の支持部１４の側壁の高さは、第１の支持部１３よりも高く、かつ、第１の支持部１３に無線押しボタン式子機２００が収納されたときの当該無線押しボタン式子機２００の高さよりもやや低くなるように設定されている。無線押しボタン式子機２００の高さよりも高くなるようにすると、操作部１２を下方（土台部１１側）に押下した場合に、操作部１２の裏面に設けた突起部１９（図３、図４参照）が無線押しボタン式子機２００の押しボタン２０２を押圧するよりも早く、無線押しボタン式子機２００の裏面が第２の支持部１４の上端に当たってしまい、押しボタン２０２を押圧することができなくなってしまうからである。
【００１８】
操作部１２は、上述のように、第２の支持部１４の直径よりもやや小さい直径を有するリング状の被支持部２０を備えており、下方は開放されている。これにより、第１の支持部１３により無線押しボタン式子機２００を支持した状態で、その上から操作部１２を被せることが可能であり、この状態で操作部１２は被支持部２０が第２の支持部１４により支持される。
【００１９】
図３（ａ）および図４に示すように、操作部１２は、その内面（裏面）に突起部１９を備えている。突起部１９は、第１の支持部１３に支持される無線押しボタン式子機２００の押しボタン２０２に対向する位置に設けられており、操作部１２が下方に押下された状態である場合に押しボタン２０２を押圧する。すなわち、操作部１２に対して下方への力を加えると、操作部１２が下方に摺動し、無線押しボタン式子機２００の押しボタン２０２を押下する。そして、操作部１２に力が加わらなくなると、操作部１２は、無線押しボタン式子機２００の押しボタン２０２の戻り力を受けて上方に摺動し、元の状態に戻る。
【００２０】
図３に示すように、操作部１２は、第２の支持部１４に操作部１２の被支持部２０が支持された場合に複数の係止孔１５と対向する円周上の位置に、複数の突出部１６を備えている。本実施形態では、円周上の互いに対向する位置に２組、合計４個の突出部１６が備えられている。この突出部１６は、図３（ｂ）に示すように、被支持部２０の底面側下端２０ａより下側に突出する長さに設けられ、被支持部２０が第２の支持部１４により支持された状態で係止孔１５に挿通する。
【００２１】
操作部１２の被支持部２０と突出部１６は、弾力性を有する樹脂により一体的に構成されている。そして、突出部１６から被支持部２０の本体側に向かって、突出部１６の左右に切り込み１７が形成されている。これにより、切り込み１７の根元部分を支点として、被支持部２０の本体に対して突出部１６を若干折り曲げ可能となっている。
【００２２】
図３および図４に示すように、突出部１６は、係止孔１５が設けられている面と係止状態となって突出部１６が係止孔１５から外れることを防止するツメ部１８を備えている。このツメ部１８は、突出部１６の先端に設けられ、被支持部２０の内側（円の中心側）に向かって突起した構成を有している。突出部１６は、被支持部２０の内側から外側に向かって若干撓みながら、係止孔１５に挿通する。
【００２３】
ここで、操作部１２に対して下方への力を加えたとき、操作部１２は、被支持部２０の底面側下端２０ａが、係止孔１５の下端に位置する土台部１１の底面に当たる位置まで、下方に摺動することが可能である。このとき、被支持部２０の底面側下端２０ａより下側に突出している突出部１６も、係止孔１５に挿通された状態で、係止孔１５の中で下方に移動することが可能である。逆に、操作部１２に対する加圧を止めたとき、操作部１２は、係止孔１５の下端に位置する土台部１１の底面にツメ部１８が当たって係止する位置まで、上方に摺動することが可能である。
【００２４】
これにより、突出部１６が係止孔１５から外れることをツメ部１８によって防止しつつも、無線押しボタン式子機２００の押しボタン２０２を押下するためのストロークを、係止孔１５に挿通された突出部１６の可動範囲によって得ることができる。この下方から上方までの摺動範囲内に押しボタン２０２のストローク領域が入るようにすれば、押しボタン２０２を押下するためのストロークを得ることが可能である。
【００２５】
なお、ツメ部１８が土台部１１の底面に当たっているとき、つまり、操作部１２が最も上方へ摺動した状態のとき、突起部１９が無線押しボタン式子機２００の押しボタン２０２に接触して押下していない状態となるようにすることが可能である。このようにすれば、操作部１２の内面に設けた突起部１９が無線押しボタン式子機２００の押しボタン２０２に常に当接した状態とすることができるので、操作部１２に対する押圧を無駄なく押しボタン２０２に伝えるようにすることができる。
【００２６】
以上説明したように、本実施形態では、土台部１１と操作部１２とにより押しボタン用アタッチメント１０を構成する。土台部１１は、無線押しボタン式子機２００を支持する第１の支持部１３と、操作部１２（の被支持部２０）を支持する第２の支持部１４とを備え、第２の支持部１４が有する被支持部２０に複数の係止孔１５を設けている。一方の操作部１２は、その内面で、第１の支持部１３に支持される無線押しボタン式子機２００の押しボタン２０２に対向する位置に突起部１９を備えるとともに、被支持部２０の円周上で複数の係止孔１５と対向する位置に、係止孔１５に挿通する複数の突出部１６を備え、当該複数の突出部１６に、突出部１６が係止孔１５から外れることを防止するツメ部１８を設けている。
【００２７】
このように構成した本実施形態によれば、操作部１２に力を加えて押下すると、押下された操作部１２の内面に設けられている突起部１９によって、無線押しボタン式子機２００の窪んだ部分に設けられている押しボタン２０２が押下されることとなる。ここで、本実施形態では、土台部１１の係止孔１５に挿通された操作部１２の突出部１６にツメ部１８が設けられているので、突出部１６が係止孔１５から外れることをツメ部１８によって防止しつつも、押しボタン２０２を押下するためのストロークを挿通の可動範囲によって得ることができる。これにより、患者は、操作部１２を手のひらや手の甲など押下するだけで、無線押しボタン式子機２００の押しボタン２０２を指で押すのと同じように操作することができる。
【００２８】
なお、上記実施形態では、操作部１２の被支持部２０がリング形状を有し、土台部１１の第２の支持部１４も被支持部２０のリング形状に合わせて円形状の側壁を有する構成について説明したが、この形状には限定されない。すなわち、操作部１２の上端が第２の支持部１４の最高端よりも上方に突出する状態で設けられていればよく、その形状は任意に設計することが可能である。
【００２９】
また、上記実施形態では、突出部１６の内側にツメ部１８を設ける構成例について説明したが、突出部１６の外側にツメ部を設ける構成としてもよい。図５は、その場合における押しボタン用アタッチメント１０の構成例を示す図であり、（ａ）は押しボタン用アタッチメント１０を無線押しボタン式子機２００に装着した状態を示すＡ−Ａ断面図、（ｂ）は被支持部２０’を側面から見た状態を示している。
【００３０】
図５の例では、ツメ部１８’は、突出部１６の先端から根元方向に離れた位置に、突出部１６の外側に設けられている。具体的には、被支持部２０’の底面側下端２０ａより上側にツメ部１８’が設けられている。
【００３１】
この場合も、操作部１２に対して下方への力を加えたとき、操作部１２は、被支持部２０’の底面側下端２０ａが、係止孔１５の下端に位置する土台部１１の底面に当たる位置まで、下方に摺動することが可能である。逆に、操作部１２に対する加圧を止めたとき、操作部１２は、ツメ部１８’が係止孔１５の上端に当たって係止する位置まで、上方に摺動することが可能である。
【００３２】
これにより、突出部１６が係止孔１５から外れることをツメ部１８’によって防止しつつも、無線押しボタン式子機２００の押しボタン２０２を押下するためのストロークを、係止孔１５に挿通された突出部１６の可動範囲によって得ることができる。
【００３３】
また、図５の構成では、係止孔１５に挿通する突出部１６の長さ（被支持部２０’の底面側下端２０ａより下側に突出する長さ）を図１〜図４の例よりも長くし、かつ、突出部１６の先端から根元方向に離れた位置にツメ部１８’を設けている。そのため、操作部１２を土台部１１に装着した後、係止孔１５から下方に貫通している突出部１６で、互いに対向する位置にあるものどうしを指でつまんで内側に折り曲げれば、係止状態を解いて操作部１２を土台部１１から簡単に取り外すことができる。
【００３４】
なお、上記第１の実施形態のようにツメ部１８が突出部１６の内側に設けられている場合も、ツメ部１８から突出部１６の先端までの長さを長くすることにより、突出部１６の先端から根元方向に離れた位置にツメ部１８を設けるようにすることが可能である。すなわち、ツメ部１８を図４に示した位置に設けたまま、突出部１６をツメ部１８よりも下方に長くなるように構成すれば、互いに対向する位置にある突出部１６どうしを指で外側に折り曲げることにより、係止状態を解いて操作部１２を土台部１１から簡単に取り外すことができる。
【００３５】
また、ツメ部１８’が係止孔１５の上端に当たっているとき、つまり、操作部１２が最も上方へ摺動した状態のとき、突起部１９が無線押しボタン式子機２００の押しボタン２０２に接触して押下していない状態となるようにし、かつ、ツメ部１８’と被支持部２０の底面側下端２０ａとの距離が、無線押しボタン式子機２００の押しボタン２０２の操作可能なストローク量と略同じとなるようにすることが可能である。このようにすれば、操作部１２の内面に設けた突起部１９が無線押しボタン式子機２００の押しボタン２０２に常に当接した状態で、押しボタン２０２のストローク量と同じ量だけ操作部１２が摺動可能とすることができるので、操作部１２に対する押圧を無駄なく押しボタン２０２に伝えるようにすることができる。
【００３６】
また、上記実施形態では、４個の係止孔１５と４個の突出部１６とを設ける例について説明したが、本発明はこれに限定されない。例えば、２個の係止孔１５と２個の突出部１６とをそれぞれ互いに対向する位置に設ける構成としてもよい。
【００３７】
また、上記実施形態では、第２の支持部１４を形成する側壁の円周上に複数の係止孔１５を備え、被支持部２０，２０’の円周上に突出部１６を備える構成について説明したが、本発明はこれに限定されない。例えば、土台部１１の底面に複数の係止孔１５を備えるようにしてもよい。この場合、操作部１２は、円周上の突出部１６に代えて、係止孔１５に対向する裏面（突起部１９が設けられている面）の位置に、例えばピン状の突出部を備えるようにする。
【００３８】
また、上記実施形態では、操作部１２の内面側に略リング状の被支持部２０，２０’を立設する例について説明したが、本発明はこれに限定されない。例えば、操作部１２を下方が開放された略円筒形状とし、その側壁に被支持部２０，２０’と同等の機能を持たせるようにしてもよい。
【００３９】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４０】
１０  押しボタン用アタッチメント
１１  土台部
１２  操作部
１３  第１の支持部
１４  第２の支持部
１５  係止孔
１６  突出部
１７  切り込み
１８，１８’  ツメ部
１９  突起部
２０，２０’  被支持部
【図１】
0006684097.tif 000002
【図２】
0006684097.tif 000003
【図３】
0006684097.tif 000004
【図４】
0006684097.tif 000005
【図５】
0006684097.tif 000006
【図６】
0006684097.tif 000007